(57)【要約】【課題】電気的駆動部分を何ら具備せず、個々の使用者の好みに応じて自在にタッピング動作によって得られる力を加減することができるようになした美顔器を提供する。【解決手段】タッピングトップ２、該タッピングトップ２にタッピング衝撃を伝達するタップヘッド３、該タップヘッド３にタッッピング衝撃を与えるハンマー７、該ハンマー７の貫通孔７ａを貫通するハンマーガイド５、前記ハンマー７のタッピング方向の端部に配設され前記ハンマー７と前記タップヘッド３とのタッピング衝撃を緩衝するリヤスプリング６、前記ハンマー７のタッピング方向と反対側の端部に貼付された緩衝ゴム１２、前記ハンマーガイド５のタッピング方向の端部に配設されるフロントスプリング４、前記各要素を収納するアウターケース８、該アウターケース８に設けられたハンドルガイド１１によって係止されたハンドル１０とから構成される美顔器。【選択図】図１
0003184083.tif 000002
【実用新案登録請求の範囲】
【請求項１】
タッピングトップと、当該タッピングトップにタッピング衝撃を伝達するタップヘッドと、当該タップヘッドにタッピング衝撃を与えるハンマーと、前記タップヘッドに設けられ前記ハンマーの衝撃を緩和するＯリングと、前記ハンマーの軸方向中心部に設けた貫通孔を貫通するハンマーガイドと、前記ハンマーのタッピング方向の端部と前記タップヘッドの鍔部との間に配設され前記ハンマーと前記タップヘッドとのタッピング衝撃を緩衝するリヤスプリングと、前記ハンマーのタッピング方向と反対側の端部に貼付された緩衝ゴムと、前記ハンマーガイドのタッピング方向の端部に配設され前記タップヘッドと前記ハンマーガイドとのタッピング衝撃を緩衝するフロントスプリングと、前記駆動部分の外側を覆うアウターケースと、当該アウターケースに設けられたハンドルガイドと、当該ハンドルガイドによって係止されたハンドルとからなり、手の掌で前記ハンドルを金槌の柄のように握ってこれを前後に振り、前記ハンマーに往復運動を生じさせ、当該往復運動によって付勢された前記ハンマーと前記タップヘッドとのタッピング衝撃によって、前記タッピングトップに所定のタッピング動作を生じさせるように構成したことを特徴とする美顔器。
【請求項２】
前記タッピングトップは、エラストマーと金属シリコン粒子の複合材から構成されることを特徴とする請求項１に記載の美顔器。
【考案の詳細な説明】
【技術分野】
【０００１】
本考案は顔などの皮膚表面に適度の機械的刺激を与え、美容上の効果をもたらす美顔器に関する。
【背景技術】
【０００２】
従来、顔などの皮膚表面に外部から刺激を与えて整肌美容を施す主な手段として、冷却法、温熱法、赤外線照射法、低周波パルス電圧を印加する低周波美容法などが提案され、これまでに各刺激要素に応じた各種の美容器具類が開発されてきている。
【０００３】
また、顔などの皮膚表面を手のひらや指などで叩くタッピング美容法も知られており、下記の特許文献１には、ソレノイドコイルの電磁作用を利用した美顔器具が示されている。
【０００４】
当該美顔器具は、図４に示すように、ソレノイドコイル６００の通電時にはアマチュアー７００に対して力が働き、戻しスプリング４００の力に打ち勝ってシャフト５００が前方へ押し出される。このときシャフト５００の先端に付設してあるパッド１００は本体８００の先端より突出して顔などの皮膚表面をタッピングする。
【０００５】
次に、ソレノイドコイル６００の通電が遮断されるとシャフト５００などには戻しスプリング４００による戻す力のみが働き、元の位置に復帰する。したがって、ソレノイドコイル６００に対する通電が断続的に行なわれれば、それによりパッド１００が本体８００から連続的に突出する運動となり、パッド１００で顔をタッピングして美容上の効果を生じさせることができる。
【先行技術文献】
【特許文献】
【０００６】
【特許文献１】特開平５−１１１５２０号公報
【考案の概要】
【考案が解決しようとする課題】
【０００７】
上記特許文献１に示された美顔器具においては、パッドによるタッピングはソレノイドコイルの電磁作用を利用するものであるため、電気的安全性の確保という課題や、電力を消費するので経済性に欠けるという課題があった。
【０００８】
また、ソレノイドコイルに対する通電とパッドによるタッピング動作はきわめて機械的であり、個々の使用者が望む強さで調整することが難しいという問題点があった。
【０００９】
本考案は、上記した従来の美顔器具の問題点を解消し、ソレノイドコイルなどの電気的駆動部分を何ら具備せず、個々の使用者の好みに応じて自在にタッピング動作によって得られる力を加減することができるようになした美顔器を提供することを目的とするものである。
【００１０】
上記課題を解決するための本考案の構成を詳述すれば、請求項１に係る考案は、タッピングトップと、当該タッピングトップにタッピング衝撃を伝達するタップヘッドと、当該タップヘッドにタッピング衝撃を与えるハンマーと、前記タップヘッドに設けられ前記ハンマーの衝撃を緩和するＯリングと、前記ハンマーの軸方向中心部に設けた貫通孔を貫通するハンマーガイドと、前記ハンマーのタッピング方向の端部と前記タップヘッドの鍔部との間に配設され前記ハンマーと前記タップヘッドとのタッピング衝撃を緩衝するリヤスプリングと、前記ハンマーのタッピング方向と反対側の端部に貼付された緩衝ゴムと、前記ハンマーガイドのタッピング方向の端部に配設され前記タップヘッドと前記ハンマーガイドとのタッピング衝撃を緩衝するフロントスプリングと、前記各要素を収納するアウターケースと、当該アウターケースに設けられたハンドルガイドと、当該ハンドルガイドによって係止されたハンドルとからなり、手の掌で前記ハンドルを金槌の柄のように握ってこれを前後に振り、前記ハンマーに往復運動を生じさせ、当該往復運動によって付勢された前記ハンマーと前記タップヘッドとのタッピング衝撃によって、前記タッピングトップに所定のタッピング動作を生じさせるように構成したことを特徴とする美顔器である。
【００１１】
また、請求項２に係る考案は、前記タッピングトップは、エラストマーと金属シリコン粒子の複合材から構成されることを特徴とする請求項１に記載の美顔器である。
【考案の効果】
【００１２】
本考案に係る美顔器は上記構造よりなり、電気による駆動部分を有していないので安全性が高くまた経済的であり、手動であるから使用者の手でハンマーの振幅を自在に調節することができ、個々人の好みに応じたタッピングによる刺激を顔などの皮膚表面に与えることができる。
【００１３】
なお、ハンマーによってタップヘッドに加えられる衝撃は、フロントスプリングとリヤスプリングの緩衝作用によって調整され、程よい刺激を顔などの皮膚表面に与えることが可能となる。
【００１４】
また、請求項２のように、エラストマーと金属シリコン粒子の複合材を用いて
タッピングトップを構成した場合は、シリコンによって刺激がさらに緩衝されると共に、金属シリコンが発生する電磁波の刺激が皮膚に加わり、美顔効果をさらに高めることが可能となる。
【図面の簡単な説明】
【００１５】
【図１】本考案に係る美顔器の内部構造の一例を示す断面図である。
【図２】本考案に係る美顔器の一例を示す外観図であり、（ａ）は側面図、（ｂ）は底面図である。
【図３】本考案に係る美顔器の使用方法の一例を示す説明図である。
【図４】従来例の美顔器の構造を示す断面図である。
【考案を実施するための形態】
【００１６】
本考案に係る美顔器１は、従来の電動式美顔器を手動化し、金槌の柄のようなハンドルを握ってこれを前後に振ることで容易にかつ的確なタッピングを顔に与えることが可能であり、美顔効果を上げることができるものである。
【００１７】
以下、図１〜図３に基づいて本考案の美顔器の実施形態を詳述する。
図１は本考案による美顔器１の側面からみた断面構造を示す。また、図２は図１に示す本考案の美顔器の外観図であり、（ａ）は側面図、（ｂ）は底面図である。さらに図３は本考案による美顔器１の使用方法を示す説明図である。
〔構成および動作〕
【００１８】
図１において、美顔器１は、タッピングトップ２と、タップヘッド３と、フロントスプリング４と、ハンマーガイド５と、リヤスプリング６と、ハンマー７と、これらの各要素を収納する円筒状のアウターケース８およびリヤキャップ９と、緩衝ゴム１２とによって構成され、ハンドルガイド１１によって握持部となるハンドル１０に固定されている。
【００１９】
ハンマー７は軸方向の中心部に貫通孔７ａを有し、当該貫通孔７ａ内にハンマーガイド５が貫通するように配設されている。従って、ハンマー７はハンマーガイド５を軸にしてスライドすることによって自由に移動が可能であり、タッピングトップ２の方向（以下、「前部」と表記する）へ力が加わると、ハンマーガイド５に沿って前部に瞬動し、タップヘッド３の後部に形成した鍔部をタッピング、すなわち叩打する。
【００２０】
なお、タップヘッド３の後部に形成した鍔部には環状をなすように凹溝を形成してあり、当該凹溝内にはハンマー７による衝撃を一定程度緩和することができるＯリング１３を嵌入してある。
【００２１】
タップヘッド３はハンマー７による衝撃を受けタッピングトップ２をタッピング、すなわち叩打し、タッピングトップ２は顔をタッピングする。
【００２２】
なお、ハンマー７およびタップヘッド３はＢＳ材（ｂｒａｓｓ材：真鍮）が好適に用いられ、タッピングトップ２はシリコンが好適に用いられる。また、ハンマーガイド５はＳＵＳ材（ステンレス鋼）が好適に用いられる。さらに、Ｏリング１３はネオプレーン等の合成ゴムが好適に用いられる。
【００２３】
リヤスプリング６は、ハンマー７によるタップヘッド３へのタッピング衝撃を緩衝する作用を有する。また、フロントスプリング４は、タップヘッド３とハンマーガイド５とのタッピング衝撃を緩衝する作用を有する。フロントスプリング４およびリヤスプリング６はＳＵＳ材が好適に用いられる。
【００２４】
また、緩衝ゴム１２はネオプレーン等の合成ゴムで形成され、ハンマー７がタッピングののち、フロントスプリング６の反力によって急速度で元の位置に戻り、リヤキャップ９に激突する際の衝撃を緩和する。なお、当該緩衝ゴム１２はリヤキャップ９側に取り付けてもよいし、あるいはハンマー７側に取り付けるようにしてもよい。
【００２５】
アウターケース８およびリヤキャップ９およびハンドル１０およびハンドルガイド１１はともにＡＢＳまたはＰＯＭとして知られている高分子材料が好適に用いられる。
【００２６】
使用者が美顔器１のハンドル１０を金槌の柄のように握ってこれを前後に振りハンマー１０に往復運動を生じさせると、ハンマー７がハンマーガイド５に案内されて移動し、タップヘッド３の後端鍔部を叩打し、その衝撃はタップヘッド３を介してタッピングトップ２に所定のタッピング動作を生じさせる。
【００２７】
〔外観の説明〕
図２（ａ）および図２（ｂ）を用いて本考案に係る美顔器１の外観について説明する。図２（ａ）に示すように、本考案の美顔器１の前面にタッピングトップ２を備え、アウターケース８とリヤキャップ９とによって各要素が収納されている。
【００２８】
アウターケース８はハンドルガイド１１によってハンドル１０に直角状をなすように係止され、ハンドル１０は、手で握って前後に振り易いような長さに構成されている。また図２（ｂ）に示すように美顔器１は底面積が小さく、細長い収納ケース（図示せず）によって携帯が容易なように構成されている。
【００２９】
〔使用方法の説明〕
次に、図３を用いて本考案に係る美顔器１の使用方法を説明する。図３は美顔器１のハンドル１０を手で握って前後に振っている状況を説明すものであり、使用者は、美顔器１のハンドル１０を金槌の柄のように手Ｒで握って、これを図中Ｍで示すように前後に振り、顔Ｆをタッピングし皮膚表面に機械的刺激を加える。
【００３０】
以上のように、本考案に係る美顔器１によればタッピング動作は全てが手動であるので手の力の加減で衝撃力の調整が可能であり、個々人の好みにより皮膚への衝撃を自在に調節することができる。
また、従来のように電動部分を具備しないので扱い易く、且つ安全であり、しかも経済的であるから、廉価かつ安全な美顔器を提供することができる。
【符号の説明】
【００３１】
１：美顔器
２：タッピングトップ
３：タップヘッド
４：フロントスプリング
５：ハンマーガイド
６：リヤスプリング
７：ハンマー
７ａ：貫通孔
８：アウターケース
９：リヤキャップ
１０：ハンドル
１１：ハンドルガイド
１２：緩衝ゴム
１３：Ｏリング
１００：パッド
４００：戻しスプリング
５００：シャフト
６００：ソレノイドコイル
７００：アマチュアー
８００：本体
Ｍ：タッピング動作
Ｒ：手
Ｆ：顔
【図１】
0003184083.tif 000003
【図２】
0003184083.tif 000004
【図３】
0003184083.tif 000005
【図４】
0003184083.tif 000006